(57)【要約】【課題】エリアごとに異なる情報を配信する情報配信において好適に用いられ、ゲーム性を持たせながら、利用者の努力によって応募の許可を与える新たな応募管理装置を提供する。【解決手段】応募管理装置３は、複数種類のコンテンツ情報を記憶するコンテンツ記憶手段３６２と、記憶されているコンテンツ情報を割り当てて、エリアごとに異なる提供情報を作成する提供情報作成手段３２ａと、コンテンツ情報を受信した移動通信端末１ａ〜１ｃからの指示に応じて移動通信端末ごとに対応付けてコンテンツ情報を記憶する取得コンテンツ記憶手段３４と、取得コンテンツ記憶手段に格納されている移動通信端末ごとのコンテンツ情報の組み合わせが所定の組み合わせになったか否かを判定する判定手段３２ｂと、所定の組み合わせになったと判定された場合に、当該移動通信端末に対し応募の受付を許可する応募許可手段３２、３６とを有する。【選択図】  図６
2004157658.tif 000002
【特許請求の範囲】
【請求項１】
移動通信端末に対して提供情報を発信する複数の情報発信装置に対してエリアごとに異なる前記提供情報を送信し、かつ、前記情報発信装置からの提供情報を受信して所定の条件を満たした前記移動通信端末からの応募を受け付ける応募管理装置であって、
複数種類のコンテンツ情報を記憶するコンテンツ記憶手段と、
前記コンテンツ記憶手段に記憶されているコンテンツ情報を割り当てて、エリアごとに異なる提供情報を作成する提供情報作成手段と、
前記コンテンツ情報を受信した前記移動通信端末からの指示に応じて前記移動通信端末ごとに対応付けて前記コンテンツ情報を記憶する取得コンテンツ記憶手段と、
前記取得コンテンツ記憶手段に格納されている前記移動通信端末ごとのコンテンツ情報の組み合わせが所定の組み合わせになったか否かを判定する判定手段と、
前記判定手段により所定の組み合わせになったと判定された場合に、当該移動通信端末に対し応募の受付を許可する応募許可手段とを有することを特徴とする応募管理装置。
【請求項２】
前記提供情報は、コンテンツ情報にリンクするためのリンク情報を含んでおり、前記リンク情報は、前記提供情報の発信時に関する情報を備えていることを特徴とする、請求項１に記載の応募管理装置。
【請求項３】
前記取得コンテンツ記憶手段は、前記移動通信手段からの指示に基づいて、格納しているコンテンツ情報を消去することを特徴とする、請求項１に記載の応募管理装置。
【請求項４】
前記提供情報作成手段は、前記コンテンツ情報が割り当てられる頻度を変えて前記提供情報を作成することを特徴とする請求項１に記載の応募管理装置。
【請求項５】
前記エリアは都道府県単位に区分されていることを特徴とする、請求項１に記載の応募管理装置。
【請求項６】
移動通信端末と、前記移動通信端末に対して提供情報を発信する複数の情報発信装置と、前記情報発信装置に対して前記提供情報を送信する通信管理装置とから構成される通信システムにおいて使用される応募管理方法であって、
複数用意されたコンテンツ情報の中から１つを選択して提供情報を複数作成する提供情報作成ステップと、
前記通信管理装置が、前記作成された提供情報をエリアごとに区分された前記情報発信装置に対して割り当てて送信する提供情報送信ステップと、
前記エリアに存在する移動通信端末は、情報発信装置から前記提供情報を受信する提供情報受信ステップと、
前記通信管理装置が、前記移動通信端末から前記移動端末が受信したコンテンツ情報を記憶するようにコンテンツ情報記憶ステップと、
前記通信管理装置が前記記憶したコンテンツ情報が所定枚数でかつ所定の組み合わせであるか否かを判断する判断ステップと、
前記コンテンツ情報が所定の組み合わせとなった移動通信端末に対し、応募許可を与える許可ステップとを備えることを特徴とする応募管理方法。
【請求項７】
前記提供情報は、コンテンツ情報にリンクするためのリンク情報を含んでおり、前記リンク情報は、前記提供情報の発信時に関する情報を備えていることを特徴とする、請求項６に記載の応募管理方法。
【請求項８】
前記提供情報作成ステップは、前記コンテンツ情報が選択される頻度を変えて前記提供情報を作成することを特徴とする請求項６に記載の応募管理方法。
【請求項９】
前記エリアは都道府県単位に区分されていることを特徴とする、請求項６に記載の応募管理方法。
【発明の詳細な説明】
【０００１】
【発明の属する技術分野】
本発明は、おもに携帯電話端末に代表される移動通信端末を用いて、例えば、懸賞などの応募を管理するための装置及び方法に関する。
【０００２】
【従来の技術】
近年、パーソナルコンピュータ、携帯電話、ＰＤＡなどの個人端末からネットワークを介して、懸賞、予約、商品購入などの応募を管理するサーバに対して直接応募を受け付けることが行われている。そして、その受付には、応募者の数が膨大にならないように、種々の方法により応募受付を行うことができる利用者を絞り、応募を管理している。
【０００３】
例えば、商品を購入した者や、会員登録を行っている者のみに応募の許可を与えたりすることが多い。また、性別、年齢、住所、電話番号の数字（例えば、末１桁が偶数、奇数などに区別する。）などの個人情報を元にして応募の許可を与えることも行われている。
【０００４】
しかし、上記のように、商品の購入や会員登録のように、利用者がある特定の行為を行うことを条件として応募の許可を与えたのでは、利用者の自由にゆだねられ、ゲーム性が少なくなり利用者の興味をそそることができない。一方、性別、年齢など利用者個人の努力では条件を満たすことができないことを応募の条件とすると、条件に該当しない利用者は、すぐに応募をあきらめることとなり、当該応募の背景にある母集団を少なくしすぎることとなる。
【０００５】
したがって、ゲーム性を持たせながら、利用者の努力によって応募の許可を与えるようにするために、ネットワークを通じてゲームやクイズを行い、例えばその勝者にのみ応募を許可することが行われている。
【０００６】
一方、近年の携帯電話の発達により、管理者と利用者との間の情報の通信の手法として、種々のものが開発されている。例えば、特開２００２−１８３００７号公報には、携帯電話端末を持つ利用者がいる位置の周辺に限定されたエリアに向けてそのエリアごとの情報を配信するようにする方法が開示されている。
【０００７】
【特許文献１】
特開２００２−１８３００７号公報
【０００８】
【発明が解決しようとする課題】
したがって、本発明が解決しようとする技術的課題は、エリアごとに異なる情報を配信する情報配信において好適に用いられ、ゲーム性を持たせながら、利用者の努力によって応募の許可を与える新たな応募管理装置及び方法を提供することである。
【０００９】
【課題を解決するための手段および作用・効果】
本発明は、上記技術的課題を解決するために、移動通信端末に対して提供情報を発信する複数の情報発信装置に対してエリアごとに異なる前記提供情報を送信し、かつ、前記情報発信装置からの提供情報を受信して所定の条件を満たした前記移動通信端末からの応募を受け付ける応募管理装置であって、複数種類のコンテンツ情報を記憶するコンテンツ記憶手段と、前記コンテンツ記憶手段に記憶されているコンテンツ情報を割り当てて、エリアごとに異なる提供情報を作成する提供情報作成手段と、前記コンテンツ情報を受信した前記移動通信端末からの指示に応じて前記移動通信端末ごとに対応付けて前記コンテンツ情報を記憶する取得コンテンツ記憶手段と、前記取得コンテンツ記憶手段に格納されている前記移動通信端末ごとのコンテンツ情報の組み合わせが所定の組み合わせになったか否かを判定する判定手段と、前記判定手段により所定の組み合わせになったと判定された場合に、当該移動通信端末に対し応募の受付を許可する応募許可手段とを有することを特徴とする応募管理装置を提供する。
【００１０】
上記構成において、応募管理装置は、情報発信装置を介して携帯電話、ＰＤＡなどの移動通信端末に提供情報を発信する装置である。提供情報は、当該装置の提供情報作成手段によって割り当てられた複数種類のコンテンツが含まれている。提供情報に含まれるコンテンツ情報は、そのコンテンツ自体が含まれていてもよいし、コンテンツ情報へリンクするための情報であってもよい。コンテンツ情報は、例えば、画像情報、音声情報、文字情報などの情報を使用することができる。提供情報は、予め区分されたエリアごとに異なるものが配信される。すなわちエリアは、１または複数の情報発信装置ごとに提供情報を異ならせることにより区分される。個々のエリアに存在する情報発信装置から情報を受信した移動通信端末に対し、応募管理装置は、コンテンツ情報を記憶するか決定を促し、記憶する旨の指示を受けた場合は、これを取得コンテンツ記憶手段に記憶する。
【００１１】
取得コンテンツ記憶手段に格納されているコンテンツ情報の組み合わせが所定の組み合わせになったか否かについては判定手段により判定され、所定の組み合わせになった場合に当該移動通信端末に対して応募許可を与え、応募の受付を許可する。
【００１２】
上記構成によれば、移動通信端末が存在するエリアごとに異なるコンテンツ情報が送信され、移動通信端末ごとに取得コンテンツ記憶手段に格納されていくコンテンツ情報が異なる。そして、このコンテンツ情報の組み合わせにより、応募条件が判定される。したがって、利用者の戦略により応募条件をクリアするまでの時間を短縮することができるというゲーム性を有する。また、このゲーム性は、移動通信端末からの指示に基づいて消去できるようにし、応募条件のクリアを戦略的に難しくしておくことにより、さらに増大させることができる。
【００１３】
また、提供情報に割り当てられるコンテンツ情報に対して、種類ごとに割り当てられる頻度に違いを持たせておくことによりコンテンツ情報ごとに収集の難易度が異なり、よりゲーム性を高めることができる。
【００１４】
本発明の応募管理装置は、具体的には以下のように種々の態様で構成することができる。
【００１５】
好ましくは、前記提供情報は、コンテンツ情報にリンクするためのリンク情報を含んでおり、前記リンク情報は、前記提供情報の発信時に関する情報を備えている。
【００１６】
上記構成において、コンテンツ情報にリンクするための情報に発信時の情報を備える。したがって、例えば、リンク情報を後日選択して、コンテンツ情報を得ようとした場合に、リンク情報に含まれる発信時の情報を参照することによりコンテンツ情報の不正な取得を防止することができる。
【００１７】
また、本発明は、移動通信端末と、前記移動通信端末に対して提供情報を発信する複数の情報発信装置と、前記情報発信装置に対して前記提供情報を送信する通信管理装置とから構成される通信システムにおいて使用される応募管理方法であって、複数用意されたコンテンツ情報の中から１つを選択して提供情報を複数作成する提供情報作成ステップと、前記通信管理装置が、前記作成された提供情報をエリアごとに区分された前記情報発信装置に対して割り当てて送信する提供情報送信ステップと、前記エリアに存在する移動通信端末は、情報発信装置から前記提供情報を受信する提供情報受信ステップと、前記通信管理装置が、前記移動通信端末から前記移動端末が受信したコンテンツ情報を記憶するようにコンテンツ情報記憶ステップと、前記通信管理装置が前記記憶したコンテンツ情報が所定枚数でかつ所定の組み合わせであるか否かを判断する判断ステップと、前記コンテンツ情報が所定の組み合わせとなった移動通信端末に対し、応募許可を与える許可ステップとを備えることを特徴とする応募管理方法を提供する。
【００１８】
【発明の実施の形態】
以下、本発明の一実施形態に係る情報配信システムについて、図面を参照しながら説明する。
【００１９】
図１は、情報配信システムが携帯電話端末への情報配信を説明する図である。図２は、図１の情報配信システムのシステム構成を示すブロック図である。図３は、通信管理サーバのブロック図である。本情報配信システムは、その構成装置である通信管理サーバが携帯電話端末の利用者に対して所定の提供情報を送信し、これを受信した携帯電話端末が後述する所定の条件を満たすことを条件として当該携帯電話端末に懸賞への応募の許可を与える応募管理処理を行う。
【００２０】
本実施形態における携帯電話端末２ａ〜２ｃへ送信される提供情報は、図１に示すように、携帯電話端末に無線信号を送信する情報発信装置１ａ〜１ｃを介して行われる。情報発信装置１ａ〜１ｃは、概ね半径数百メートルの範囲に存在する携帯電話端末２ａ〜２ｃに対し無線情報を発信する。
【００２１】
情報発信装置１ａ〜１ｃは、図２に示すように、本発明の応募管理装置にあたる情報管理サーバ３とインターネット４によって接続されている。情報管理サーバ３は、携帯電話端末との間で通信できる全エリアをいくつかに区分し、それぞれのエリアへの通信を担当する情報発信装置１ａ〜１ｃに、それぞれエリアごとに独立した情報を送信することができるように構成されている。本実施形態では後述するように、エリアが都道府県単位に区分されており、同じエリアに配置されている情報発信装置に対してはすべて同じ情報が配信され、異なるエリアに配置されている情報発信装置には、異なる情報を配信する。例えば、図１のエリアＡ１内の２つの情報発信装置１ａはそれぞれ同じ情報を配信するが、異なるエリアＡ２内の情報発信装置１ｂとは異なる情報を配信することができる。よって、それぞれのエリアに存在する携帯電話端末２ａ，２ｂには、互いに別の情報が配信される。この情報の提供方法については、特開２００２−１８３００７号公報などに記載されており、詳細は省略する。
【００２２】
情報発信装置１ａ〜１ｃは、図２に示すように、携帯電話端末２ａ〜２ｃとの間の送受信を司る送受信部１２、情報管理サーバ３からの情報を一時的に記憶するデータ記憶部１１と、装置全体の制御を司るデータ処理部１３と、情報管理サーバ３との通信を司る通信インターフェース部１４とを備える。
【００２３】
また、携帯電話端末２ａ〜２ｃは、情報発信装置１ａ〜１ｃとの間の送受信を司る送受信部２３、装置全体の制御を司るデータ処理部２１、ディスプレイ部２２、スピーカ２４、装置の操作に用いられるボタンなどの操作部２５、音声通信の処理を司る電話処理部２６とを備える。
【００２４】
情報発信装置１ａ〜１ｃ及び携帯電話端末２ａ〜２ｃは、上記応募管理処理を行うために、文字情報及び画像情報などの通信を行うことができるように構成された汎用的な装置でよく、応募管理処理を行うために必要な構成は、情報管理サーバ３内に設けられている。
【００２５】
情報管理サーバ３は、情報発信装置１ａ〜１ｃとの間の情報の通信を司る通信インターフェース部３１、装置全体の処理を司る制御演算部３２、及び処理のための各種データベース３３〜３５及び、システムプログラム３６１、画像データ３６２、エリアデータ３６３とを備えるプログラム記憶部３６を備えている。
【００２６】
顧客データベース３３は、当該応募管理処理に基づくサービスの提供を受ける者の情報を格納するデータベースである。このデータベースに格納されている情報としては、携帯電話端末ごとに設定されているＵＩＤと利用者の氏名、住所などの個人情報が含まれる。
【００２７】
画像記憶部３４は、利用者ごとに識別して保存している画像情報を格納するデータベースである。すなわち、後述するように、情報管理サーバからの画像情報を受信した利用者は、必要に応じて受信した画像情報を保存する。そして、この保存された画像情報が所定の組み合わせになった場合に応募の許可を受けることができる。画像記憶部３４は、画像を５枚のみ保存することができるように構成されており、５枚以上の画像を保存することができないため、後述するように、利用者からの指示に応じて、画像情報を削除する処理などが行われる。
【００２８】
応募者データベース３５は、画像情報が所定の組み合わせとなり、応募を許可されて応募した利用者の情報及び懸賞の商品の情報を格納するためのデータベースである。このデータベースに格納されている情報に基づいて懸賞の抽選などが行われる。
【００２９】
図４は、画像データの構成を示す図である。画像データ３６２は、画像Ｎｏ．３６２ａ、画像情報３６２ｂ、配信頻度３６２ｃの情報を備えている。画像Ｎｏ．３６２ａは、画像情報３６２ｂの種別を識別するための識別子として機能し、後述する応募管理処理において、画像を特定するために用いられる。画像情報３６２ｂは、具体的な画像の情報であり、本実施形態では５種類準備されている。配信頻度３６２ｃは、画像情報３６２ｂが配信される頻度を設定するための情報である。
【００３０】
図５は、エリアデータの構成を示す図である。エリアデータ３６３は、エリアＮｏ．３６３ａ、エリア名３６３ｂ、発信装置ＩＤ３６３ｃの情報を備えている。エリアＮｏ．３６３ａは、エリアの種別を識別するための識別子として機能し、後述する応募管理処理において、画像を保存するためのリンク情報にも用いられる。エリア名３６３ｂは、各エリアの名称を示すものであり、本実施形態では、首都圏の７都県ごとにエリアを区切っている。発信装置ＩＤ３６３ｃは、エリア内に無線情報を送信することができるすべての発信装置のＩＤを格納するものである。例えば、エリアＮｏ．１の神奈川県に特定の情報を送信する場合は、発信装置ＩＤ３６３ｃに格納されている発信装置にのみ情報が送信されるようになっている。
【００３１】
次に上記情報配信システムが行う応募管理処理についての処理手順について説明する。図６は、応募管理処理の概説的な流れを示すフロー図である。
【００３２】
まず、情報管理サーバ３は、毎日午前９時、正午、午後７時の３回エリアごとにランダムに画像を選択して配信を行う（＃１）。どのエリアにどの画像を配信するかの決定は、制御演算部３中の配信画像決定部３２ａが行う。そして、この配信情報をある特定のエリアで受信した携帯電話端末の利用者は、当該配信された画像を保存する指示を送り、これを受信した情報管理サーバ３は画像の保存のための処理を開始する（＃２）。
【００３３】
まず、上述のように、情報管理サーバの画像記憶部３４に当該利用者が何枚の画像がを有しているかを確認する（＃３）。５枚保存されている場合は、これ以上の画像を保存することができないため、応募管理サーバ３は、当該利用者の携帯電話端末に対して、不要な画像の消去を指示し（＃５）、画像記憶部３４の容量に空きを作成する。
【００３４】
次いで、情報管理サーバ３は、画像記憶部３４の空き容量の部分に当該保存の指示を受けた画像情報を格納する。
【００３５】
次に情報管理サーバ３は、画像記憶部３４に格納されている画像情報が応募条件を満たすか否かについて判断する（＃７）。この条件の判断は、情報管理サーバ３の制御演算部３中の応募条件判断部３２ｂが行う。本実施形態では、応募条件として、画像記憶部３４に格納されている画像情報が５枚すべて同じ種類の情報となった場合としている。そして、画像情報ごとに異なる懸賞品に対する応募の許可を与え、応募処理（＃８）に移行する。
【００３６】
応募条件を満たさない場合は、今回の配信における処理は終了し、次回の配信時間になると（＃９）、上記と同様の処理を繰り返す。すなわち、毎日９時、１２時、１９時の配信時間になると、上記の７都県において、いずれかの画像情報が配信され、この画像情報を受信した利用者は、受信した画像を必要に応じてを画像保存部３４に保存する。そして、応募条件を満たすと応募処理を行い、応募条件を満たさなければ、次回の配信時に受信する画像情報を用いて応募条件を判断する。
【００３７】
図７は応募条件処理を行う場合の携帯電話端末の表示の変化を示す図である。ある利用者の本携帯電話端末が東京都に存在する場合を考える。最初に情報管理サーバ３がエリアごとにランダムに画像を選択して配信する（＃１）処理を行い、携帯電話端末がこれを受信すると、配信画面５１が表示される。配信画面５１には、画像が配信された日時とどのエリアの配信分かを示す情報５１２と、配信される画像へのリンク情報５１１が表示されている。
【００３８】
リンク情報５１１は、配信された画像情報へのＵＲＬで構成されており、配信された情報の発信時に関する情報を備えている。具体的には、ＵＲＬの画像ファイル名として、５桁の数字情報で構成され、０１〜３１までの日付の情報（２桁）、１〜３までの当日何回目の配信かを示す情報（１桁）、１〜７までのどのエリアの配信かの情報（１桁）、１〜５までのどの画像情報を示すかの画像Ｎｏ．の情報を並べたものが用いられる。例えば図７に示した配信画面５１ではファイル名は、０１１２１となり、１日の第１回目東京都（エリア２）配信分画像Ｎｏ．１の画像が送信されたという配信条件が示される。このように配信条件を含めてファイル名を構成することにより、後日画像を保存しようとしても画像情報の取込をできないようにしている。これにより、配信画面５１を保存しておき、画像情報まとめて取り込むことを防止し、画像情報を不正に集めることができないようにすることができる。
【００３９】
図８は、当該配信時において各エリアでどのような画像情報が配信されているかを示す図である。図７の配信画面においては、当該携帯電話端末が東京都に存在していたため、画像情報としては、画像１が配信されている。また、他のエリアにおいては、同時に配信された画像情報は、情報管理サーバ３の画像情報決定部３２ａによって決定されるため、各エリアごとに異なる画像情報が配信される。したがって、画像配信時にどのエリアにいるかによって、受信する画像が変わることとなる。このときの各エリアに配信された画像情報は例えば、ランダムに決定され、エリア１の神奈川県では、画像５が配信され、リンク情報の画像ファイル名は、０１１１５となり、同様にエリア６の茨城県では、画像２が配信されリンク情報の画像ファイル名は、０１１６２となる。
【００４０】
利用者が携帯電話端末の操作部２５を操作し、リンク情報５１１を利用者が選択して先に進むと、情報管理サーバ３では、顧客データベース３３を参照して当該携帯電話端末のＵＩＤをチェックし（＃１１）、適正な利用者であると判断された場合は、今回の画像画面５２を表示する。今回の画像画面５２では、当該配信で受信した画像情報５２３が表示されている。利用者は、この画像を保存しようとする場合は、画像保存リンク５２１を選択して先に進むことができる。また、今現在当該利用者が持っている画像情報を確認したい場合は、画像確認リンク５２２を選択して先に進むことができる。
【００４１】
今回の画像画面５２において、画像保存リンク５２１を選択した場合は、情報管理サーバ３の画像記憶部３４に何枚の画像が保存されているかを確認する（図６＃３参照）。そして、すでに５枚の画像が保存されている場合は、画像消去処理に移行する。画像消去処理については、後述する。
【００４２】
一方、保存されている画像が５枚以下である場合は、画像保存画面５３に移行する。画像保存画面５３では、保存された画像情報５３２及び画像確認リンク５３１が表示される。画像保存画面５３に移行する場合には、情報管理サーバ３は画像記憶部３４を更新し、今回の画像情報を画像記憶部に保存する。
【００４３】
今回の画像画面５２または画像保存画面５３において、画像確認リンク５２２、５３１を選択した場合は、画像確認画面５４に移行する。画像確認画面５４にでは、情報管理サーバ３は画像記憶部３４を参照し、現在保存されている画像情報の一覧５４１を表示する。
【００４４】
また、画像確認画面５４には、画像記憶部３４に格納されている画像情報が５枚とも同じ画像情報である場合は、応募リンク５４２が表示される。なお、図７では、説明のために画像情報がすべて同じではないが応募リンク５４２を表示している。応募リンクを選択し先に進むと、応募処理に移行する。応募処理についての詳細は、図１０を参照して後述する。
【００４５】
画像確認画面５４には、画像記憶部３４に格納されている画像情報を消去するための画像を捨てるリンク５４３が表示される。上述のように、不要な画像を消去するための画像消去処理に移行するリンクである。
【００４６】
次に画像消去処理について説明する。図９に画像消去処理における画面表示の変化を示す図である。画面消去処理は、上述のとおり、画像確認画面５４において、画像を捨てるリンク５４３を選択して先に進んだ場合に移行し、また、今回の画像画面５２において画像保存を行う場合に、画像記憶部３４にすでに５枚の画像情報が格納されている場合に自動的に切り替わる。
【００４７】
画像消去処理では、まず最初に消去画像選択画面５５が表示され、捨てる画像を選択する。画像の選択では、画像記憶部３４を参照することにより、現在保存されている画像情報の一覧５５１が表示され、利用者が操作部２５を操作することにより、捨てる画像５５２を選択する。捨てる画像を選択して、これに張られているリンクから先に進むことにより、消去画像確認画面５６に移行する。
【００４８】
消去画像確認画面５６では、消去画像選択画面５５で選択された捨てる画像５６１が表示される。そして、この画像を捨ててよいかの確認がなされて、捨ててよい場合は、捨てるリンク５６３を選択して先に進む。一方、捨てる画像を変更したい場合は、戻るリンク５６２を選択して消去画像選択画面に戻り、捨てる画像の選択を再度行う。
【００４９】
消去画像確認画面５６において、捨てるリンク５６３を選択して先に進むと画像記憶部３４が更新され、画像確認（消去後）画面５７が表示される。画像確認（消去後）画面５７では、更新された画像記憶部３４の情報を参照し、現在格納されている画像情報の一覧５７１及び、画像保存リンク５７２、今回の画像リンク５７３が表示される。画像保存リンク５７２または今回の画像リンク５７３を選択すると、それぞれ図７に示す位置に移行する。
【００５０】
次に、画像記憶部３４に格納されている画像情報が５枚すべて同じ種類の画像情報となり、応募条件を満たした場合の応募処理について説明する。図１０は、応募処理の画面の変化の流れを示す図である。
【００５１】
応募処理は、画像確認画面５４（図７参照）において、応募するリンクを選択した場合に移行する。応募処理が開始されると、応募商品画面５８が表示される。応募商品画面５８では、応募データベース３５を参照することにより、当該利用者が応募することができる商品についての情報が表示され、応募を行うかの利用者の確認を求める。すなわち、応募商品画面には、５枚そろった画像情報５８１と商品名が表示され、この商品の懸賞に応募する場合は、応募するリンク５８２を選択することにより、先の画面に切り替わる。一方、この商品に応募しない場合は、今回の画像に戻るリンク５８３を選択することにより、今回の画面５２（図７参照）に画面が切り替わる。
【００５２】
応募するリンク５８を選択した場合は、応募者に関する情報を入力する情報入力画面５９に切り替わる。情報入力画面では、応募者の情報を所定の欄５９２に入力する。入力が終了すると、応募リンク５９１を選択する。情報入力画面５９において、応募リンク５９１が選択されると、画面表示が応募確認画面６０に切り替わる。応募確認画面６０は、情報入力画面５９において入力した応募者の情報が所定欄６０３に表示され、利用者はこれを確認する。確認の結果、訂正を必要とする場合は、戻るリンク６０２を選択して再入力を行う。一方、表示された情報で正しい場合は、ＯＫリンク６０１を選択して受付完了となる。
【００５３】
応募の受付が完了すると、その旨を示す受付完了画面６１に画面表示が切り替わり、応募データベース３５の情報が更新される。
【００５４】
以上説明したように、本実施形態に係る情報配信システムによれば、応募管理処理において、懸賞の応募に際して、利用者の戦略により応募条件をクリアするまでの時間を短縮することができるというゲーム性を有する。よって、利用者の期待感を喚起することができる。
【００５５】
すなわち、ある特定のエリアに存在することにより、所定時間ごとに画像情報を得ることができる。そして、利用者はどの画像情報を集めるかという自己の戦略に基づいて画像の収集を行う。また、定期的に得られる画像は、利用者の努力では変えることができず、エリアごとに異なるため、当該サービスを受けるすべての利用者にとって、それぞれ異なる組み合わせで配信される。
【００５６】
また、画像情報にリンクするための情報に発信時の情報を含めることとしているため、例えば、リンク情報を後日選択して、コンテンツ情報を得ようとした場合などにおいて、リンク情報に含まれる発信時の情報を参照することによりコンテンツ情報の不正な取得を防止することができる。
【００５７】
なお、本発明は上記実施形態に限定されるものではなく、その他種々の態様で実施可能である。
【００５８】
例えば、配信されるコンテンツ情報としては、画像ファイルではなく、音声ファイルなどであってもよい。また、応募条件として５枚の画像がすべてそろったときだけではなく、例えば、５枚中３枚がそろったときに応募条件を与え、４枚、５枚とそろった枚数が増えるにしたがって、豪華な賞品に対する懸賞への応募許可をみとめるようにすることもできる。
【図面の簡単な説明】
【図１】情報配信システムが携帯電話端末への情報配信を説明する図である。
【図２】図１の情報配信システムのシステム構成を示すブロック図である。
【図３】情報配信システムに用いられる通信管理サーバのブロック図である。
【図４】画像データの構成を示す図である。
【図５】エリアデータの構成を示す図である。
【図６】応募管理処理の概説的な流れを示すフロー図である。
【図７】応募条件処理を行う場合の携帯電話端末の表示の変化を示す図である。
【図８】ある配信時において各エリアでどのような画像情報が配信されているかを示す図である。
【図９】画像消去処理における画面表示の変化を示す図である。
【図１０】応募処理の画面の変化の流れを示す図である。
【符号の説明】
１ａ〜１ｃ  情報発信装置
２ａ〜２ｃ  携帯電話端末
３  情報管理サーバ
１１  データ記憶部
１２  送受信部
１３  データ処理部
１４  通信インターフェース部
２１  データ処理部
２２  ディスプレイ部
２３  送受信部
２４  スピーカー
２５  操作部
２６  電話処理部
３１  通信インターフェース部
３２  制御演算部
３３  顧客データベース
３４  画像記憶部
３５  応募データベース
３６１  システムプログラム
３６２  画像データ
３６３  エリアデータ
【図１】
2004157658.tif 000003
【図２】
2004157658.tif 000004
【図３】
2004157658.tif 000005
【図４】
2004157658.tif 000006
【図５】
2004157658.tif 000007
【図６】
2004157658.tif 000008
【図７】
2004157658.tif 000009
【図８】
2004157658.tif 000010
【図９】
2004157658.tif 000011
【図１０】
2004157658.tif 000012